(57)【要約】【課題】手間と作業時間がかからずに一定の長さの導線を切断することが可能な利便性の高いニッパを提供すること。【解決手段】導線１を切断するためのニッパ１０は、一対の刃２２が対向するように形成されている一対の刃部２０と、それぞれが各刃部２０に相対的移動不能に連結されている一対の枢着部４０と、この枢着部４０を回転可能に枢支する枢軸部６０と、刃部２０の一方に形成され、導線１の端部が接触する接触部８２を有する延設部８０と、を備え、延設部８０は、接触部８２に直角の方向において接触線２４を延設部８０に投影した投影線が形成可能な位置に設けられ、接触線２４と接触部８２との間の距離が所定の関係を有する。【選択図】図９
2008012155.tif 000002
【特許請求の範囲】
【請求項１】
１以上の導線を含むケーブルを切断するためのニッパであって、
互いに接近・離反可能に対向するように配置されており、一対の刃が対向するように形成されている一対の刃部と、
それぞれが各刃部に相対的移動不能に連結されている一対の枢着部と、
前記刃部が互いに離反することにより前記刃の一方と他方との間に前記ケーブルを導入することが可能となるように、且つ、前記刃部が互いに接近することにより前記刃が相互に接触して形成される仮想上の接触線において前記刃によって前記ケーブルを切断できるように、前記枢着部を回転可能に枢支する枢軸部と、
前記刃部の一方に形成され、前記１以上の導線の端部が前記１以上の導線に１対１に接触する１以上の第１の接触部を含む接触領域を有する延設部と、を備え、
前記延設部は、前記１以上の第１の接触部に直角の方向において前記接触線を前記接触領域に投影した１以上の投影線が形成可能な位置に設けられ、
前記接触線と前記１以上の第１の接触部との間の距離が所定の関係を有するニッパ。
【請求項２】
前記接触領域は、前記１以上の第１の接触部が形成されている面の反対側の面に形成された１以上の第２の接触部を含み、
前記延設部は、前記１以上の第２の接触部に１対１に前記１以上の導線の端部が接触するように、且つ、前記１以上の投影線が前記１以上の第２の接触部を通過する位置に形成するように設けることが可能であり、
前記接触線と前記１以上の第２の接触部との間の距離が所定の関係を有する請求項１記載のニッパ。
【請求項３】
前記延設部は、前記接触領域の一の接触部と、前記一の接触部の近傍を通過するように互いに平行して形成される一対の凸状部材と、を含む、前記接触領域の一の接触部の数に１対１に対応する数の溝を有する請求項１又は２記載のニッパ。
【請求項４】
前記延設部は、前記接触領域の一の接触部を取り囲むように形成された前記接触領域の一の接触部の数に１対１に対応する数の凸状体を有し、
前記一の接触部と前記凸状体とは凹部を形成し、
前記凹部は、前記１以上の導線の一の導線を挿入することが可能な径を有する請求項１又は２記載のニッパ。
【請求項５】
前記１以上の導線の一の導線を直線的に挿通可能な導線貫通孔が形成され、前記接触線と前記延設部との間に配置されている前記接触領域の一の接触部の数に１対１に対応する数の導線支持材を備え、
前記導線貫通孔は、前記接触線の直角の方向に向けて形成されている請求項１から４のいずれか記載のニッパ。
【請求項６】
前記導線支持材の前記延設部側の末端が、少なくとも前記導線貫通孔の内部を視認可能な透明材で形成されている請求項５記載のニッパ。
【請求項７】
前記導線支持材は、その前記延設部側の末端に、少なくとも前記導線貫通孔と連通された側面孔を有する請求項５記載のニッパ。
【請求項８】
前記延設部は、開口された開口部と、前記開口部を開閉可能に前記開口部に配置された蓋部と、前記蓋部を開閉可能に支持する前記接触領域の一の接触部の数に１対１に対応する数の支持部材と、を有しており、
前記蓋部の表面は前記接触領域の一の接触部とされている請求項５から７いずれか記載のニッパ。
【請求項９】
前記一対の刃部及び前記一対の枢着部の表面は絶縁体で形成されている請求項１から８いずれか記載のニッパ。
【発明の詳細な説明】
【技術分野】
【０００１】
本発明は、配線盤用の導線を切断するために適したニッパに関する。
【背景技術】
【０００２】
従来、導線を切断するためにニッパは欠かすことのできない工具であり（例えば、特許文献１参照）、特に、電話回線の配線を変更する作業において、ニッパは必要不可欠な工具である。電話回線の配線の変更頻度は決して少なくなく、配線変更のたびに電話機や伝送装置間のケーブルの配線を変更するのでは手間や時間がかかってしまう。このため、図３５に示すように、電話機６００と伝送装置７００とを中間配線盤（接続ＢＯＸ）８００を介して接続すれば、配線変更の場合は中間配線盤８００内の配線変更のみで済むので、手間や作業時間を省略することができる。
【０００３】
中間配線盤８００内の配線変更の作業には、端子に通信回線等の導線を配線接続する作業（ラッピング）を行う必要がある。例えば、図３６に示すように、１０本の端子８２２〜８４０（４列目）、８５２〜８７０（５列目）が縦列して配置されている配線端子台８１０がある。この配線端子台８１０において、４列目の端子８２２〜８２８の４つの端子には４本の導線９０２〜９０８が接続されており、５列目の端子８５２から４番目の端子８５８の４つの端子には４本の導線９２２〜９２８が接続されている。この場合、熟練者であれば、４線分の配線長を経験と勘により判断してニッパで導線を切断することにより、４列目の端子８２２〜８２８に接続された導線９０２〜９０８のように弛むことなく各端子に接続される。
【特許文献１】特開平７−７９５１３号公報
【発明の開示】
【発明が解決しようとする課題】
【０００４】
しかしながら、経験不足の初心者が導線を端子に接続する作業を行うと、切断する導線の長さが一定でないため、配線長にバラツキが生じる。
【０００５】
このように配線長にバラツキが生じる場合、５列目の端子８５６に接続された導線９２６のように弛みが生じて見た目がよくない。更に、配線長が他のものと比べて長い導線があると、その導線を作業者が手や工具等を引っ掛けて切断してしまう恐れもある。
【０００６】
確かに、定規を使用すれば初心者でも導線の切断長を一定にすることができる。しかし、定規を使用しながらの作業では、手間とともに作業時間がかかってしまう。
【０００７】
本発明は、上述の課題に鑑みてなされたものであり、手間と作業時間がかからずに一定の長さの導線を切断することが可能な利便性の高いニッパを提供することを目的とする。特に、初心者が使用した場合には、熟練者が作業したのと同等のものが得られるようなニッパを提供することを目的とする。
【課題を解決するための手段】
【０００８】
（１）  １以上の導線を含むケーブルを切断するためのニッパであって、互いに接近・離反可能に対向するように配置されており、一対の刃が対向するように形成されている一対の刃部と、それぞれが各刃部に相対的移動不能に連結されている一対の枢着部と、前記刃部が互いに離反することにより前記刃の一方と他方との間に前記ケーブルを導入することが可能となるように、且つ、前記刃部が互いに接近することにより前記刃が相互に接触して形成される仮想上の接触線において前記刃によって前記ケーブルを切断できるように、前記枢着部を回転可能に枢支する枢軸部と、前記刃部の一方に形成され、前記１以上の導線の端部が前記１以上の導線に１対１に接触する１以上の第１の接触部を含む接触領域を有する延設部と、を備え、前記延設部は、前記１以上の第１の接触部に直角の方向において前記接触線を前記接触領域に投影した１以上の投影線が形成可能な位置に設けられ、前記接触線と前記１以上の第１の接触部との間の距離が所定の関係を有するニッパ。
【０００９】
（１）の発明によれば、延設部は、１以上の導線の端部が１以上の導線に１対１に接触する１以上の第１の接触部を含む接触領域を有する。また、延設部は、１以上の第１の接触部に直角の方向において接触線を接触領域に投影した１以上の投影線が形成可能な位置に設けられ、接触線と１以上の第１の接触部との間の距離が所定の関係を有する。
【００１０】
ここで、「所定の関係」とは、接触線と１以上の第１の接触部との間の距離に関する関係をいう。換言すれば、「第１の接触部」が１つの場合、接触線と第１の接触部との間の距離は、本発明によって切断される導線が取り付けられる基板のような被取付部材の特定の寸法と同じ寸法を有することをいう。また、「第１の接触部」が２以上の場合、接触線と１以上の第１の接触部のうち接触線に最も近い位置にある接触部との間の距離、及び、１以上の第１の接触部のうちの一の接触部と１以上の第１の接触部のうち他の接触部との間の距離は、上述の特定の寸法と同じ寸法を有する関係をいう。
【００１１】
具体的には、（１）の発明における「所定の関係」とは、以下のような関係である。すなわち、２本の導線を本発明に係るニッパで切断する場合を想定する。この場合、接触領域は、例えば、一の接触部、一の接触部の隣の接触部の２つの接触部を含むことになる。第１の接触部のうちの一の接触部、一の接触部の隣の他の接触部に各導線の端部を当接させて、各導線を切断すると、各接触部と接触線との間の距離、すなわち、切断された各導線の長さは、それぞれ、長さＬ、Ｌ２になる。換言すれば、一の接触部と接触線との間の距離Ｌと、他の接触部と接触線との間の距離Ｌ２との差は、上述の特定の寸法すなわち所定の寸法Ｌの整数倍となる。このように、（１）の発明における「所定の関係」とは、一の接触部と接触線との間の距離Ｌと他の接触部と接触線との間の距離Ｌ２との差（｜Ｌ−Ｌ２｜）が所定の寸法Ｌの整数倍となる関係をいう。
【００１２】
したがって、本発明に係るニッパで１以上の導線を切断すると、導線の切断の長さを所定の寸法の整数倍にすることが可能である。このように、本発明によれば、手間と作業時間をかけずに一定の長さの導線を切断することが可能である。
【００１３】
（２）  前記接触領域は、前記１以上の第１の接触部が形成されている面の反対側の面に形成された１以上の第２の接触部を含み、前記延設部は、前記１以上の第２の接触部に１対１に前記１以上の導線の端部が接触するように、且つ、前記１以上の投影線が前記１以上の第２の接触部を通過する位置に形成するように設けることが可能であり、前記接触線と前記１以上の第２の接触部との間の距離が所定の関係を有する（１）記載のニッパ。
【００１４】
（２）の発明によれば、接触領域は、１以上の第１の接触部が形成されている面の反対側の面に形成された１以上の第２の接触部を含み、延設部は、１以上の第２の接触部に１対１に１以上の導線の端部が接触するように、且つ、１以上の投影線が１以上の第２の接触部を通過する位置に形成するように設けることが可能であり、接触線と１以上の第２の接触部との間の距離が所定の関係を有する。
【００１５】
ここで、「所定の関係」とは、接触線と１以上の第２の接触部との間の距離に関する関係をいい、換言すれば、１以上の第２の接触部のうちの一の接触部と接触線との間の距離と１以上の第２の接触部のうちの一の接触部ではない他の接触部と接触線との間の距離との関係をいう。
【００１６】
具体的には、（２）の発明における「所定の関係」とは、以下のような関係である。すなわち、２本の導線を本発明に係るニッパで切断する場合を想定する。この場合、本発明に係るニッパの接触領域は、例えば、一の接触部、一の接触部に隣接する他の接触部の２つの接触部を含む。第１の接触部のうちの一の接触部及び一の接触部の他の接触部に各導線の端部を当接させて、各導線を切断すると、各接触部と接触線との間の距離、すなわち、切断された各導線の長さが、それぞれ、長さＭ、Ｍ２になる。ここで、一の接触部と接触線との間の距離Ｍと、一の接触部とは異なる他の接触部と接触線との間の距離Ｍ２との差（｜Ｍ−Ｍ２｜）は別の所定の寸法Ｍの整数倍となる。このように、（２）の発明における「所定の関係」とは、一の接触部と接触線との間の距離と一の接触部とは異なる他の接触部と接触線との間の距離との差が別の所定の寸法Ｍの整数倍となる関係をいう。なお、別の所定の寸法Ｍは（１）の発明における所定の寸法Ｌとは異なる。
【００１７】
したがって、本発明に係るニッパで１以上の導線を切断すると、導線の切断の長さを（１）の発明における所定の寸法の整数倍とは異なる別の所定の寸法の整数倍とすることが可能である。このように、（２）に係る発明によれば、所定の寸法の整数倍の導線を切断することができるばかりでなく、別の所定の寸法の整数倍の導線を１回で切断できる。すなわち、手間と作業時間をかけずに一定の長さの導線を切断することが可能である。
【００１８】
（３）  前記延設部は、前記接触領域の一の接触部と、前記一の接触部の近傍を通過するように互いに平行して形成される一対の凸状部材と、を含む、前記接触領域の一の接触部の数に１対１に対応する数の溝を有する（１）又は（２）記載のニッパ。
【００１９】
（４）  前記延設部は、前記接触領域の一の接触部を取り囲むように形成された前記接触領域の一の接触部の数に１対１に対応する数の凸状体を有し、前記一の接触部と前記凸状体とは凹部を形成し、前記凹部は、前記１以上の導線の一の導線を挿入することが可能な径を有する（１）又は（２）記載のニッパ。
【００２０】
（３）及び（４）の発明は、導線の端部を接触する位置を規定している。
【００２１】
（３）の発明に係るニッパは、接触領域の一の接触部と、一の接触部の近傍を通過するように互いに平行して形成される一対の凸状部材と、を含む、接触領域の一の接触部の数に１対１に対応する数の溝を有する延設部を備える。作業者は、導線の端部を溝に挿入し、且つ、接触線に対して直角の方向に導線をセットして導線を切断すれば、導線を所定の寸法の整数倍の長さ分又は別の所定の寸法の整数倍の長さ分切断できる。このように、手間と作業時間をかけずに一定の長さの導線を切断することが可能である。
【００２２】
（４）の発明に係るニッパは、接触領域の一の接触部を取り囲むように形成された接触領域の一の接触部の数に１対１に対応する数の凸状体を有する延設部を備える。凸状体と一の接触部とは１以上の導線の一の導線を挿入することが可能な径を有する凹部を形成している。したがって、作業者は、導線の端部を凹部に挿入し、且つ、接触線に対して直角の方向に導線をセットして導線を切断すれば、導線を所定の寸法の整数倍の長さ分又は別の所定の寸法の整数倍の長さ分切断できる。このように、手間と作業時間をかけずに一定の長さの導線を切断することが可能である。
【００２３】
（５）  前記１以上の導線の一の導線を直線的に挿通可能な導線貫通孔が形成され、前記接触線と前記延設部との間に配置されている前記接触領域の一の接触部の数に１対１に対応する数の導線支持材を備え、前記導線貫通孔は、前記接触線の直角の方向に向けて形成されている（１）から（４）のいずれか記載のニッパ。
【００２４】
（５）の発明に係るニッパは、接触領域の一の接触部の数に１対１に対応する数の導線支持材を備える。導線支持材は、１以上の導線の一の導線を直線的に挿通可能な導線貫通孔が形成されている。また、導線支持材は、接触線と延設部との間に配置され、更に、接触線の直角の方向に向けて形成されている。したがって、導線を導線貫通孔に挿入して導線の端部が延設部の接触領域に接触することを条件に切断できれば、導線を所定の寸法の整数倍の長さ分又は別の所定の寸法の整数倍の長さ分切断できる。このように、手間と作業時間をかけずに一定の長さの導線を切断することが可能である。
【００２５】
また、（５）の発明によれば、切断された導線は導線支持材内に保持されるので、導線屑を作業場に散乱させることを防止できる。
【００２６】
（６）  前記導線支持材の前記延設部側の末端が、少なくとも前記導線貫通孔の内部を視認可能な透明材で形成されている（５）記載のニッパ。
【００２７】
（７）  前記導線支持材は、その前記延設部側の末端に、少なくとも前記導線貫通孔と連通された側面孔を有する（５）記載のニッパ。
【００２８】
（６）及び（７）の発明は、導線支持材の延設部側の末端の構成について規定している。
【００２９】
（６）の発明によれば、導線支持材の延設部側の末端が、少なくとも導線貫通孔の内部を視認可能な透明材で形成されている。したがって、作業者は、透明材を介して導線が延設部に接触しているか否かを明確に認識することが可能であり、所定の寸法の整数倍の長さ分又は別の所定の寸法の整数倍の長さ分の導線を確実に切断することができる。このように、手間と作業時間をかけずに一定の長さの導線を確実に切断することが可能である。
【００３０】
（７）の発明によれば、導線支持材は、その延設部側の末端に、少なくとも導線貫通孔と連通された側面孔を有する。したがって、作業者は、側面孔を見れば導線が延設部に接触していることを明確に認識することが可能であり、所定の寸法の整数倍の長さ分又は別の所定の寸法の整数倍の長さ分の導線を確実に切断することができる。このように、手間と作業時間をかけずに一定の長さの導線を確実に切断することが可能である。
【００３１】
（８）  前記延設部は、開口された開口部と、前記開口部を開閉可能に前記開口部に配置された蓋部と、前記蓋部を開閉可能に支持する前記接触領域の一の接触部の数に１対１に対応する数の支持部材と、を有しており、前記蓋部の表面は前記接触領域の一の接触部とされている（５）から（７）いずれか記載のニッパ。
【００３２】
切断された導線を導線貫通孔から取り出すには、導線を挿通させた導線貫通孔の入り口から取り出すことが考えられるが、刃部が障害となって取り出しにくい。
【００３３】
（８）の発明によれば、延設部は、開口部と、この開口部を開閉可能に開口部に配置された蓋部と、蓋部を開閉可能に支持する接触領域の一の接触部の数に１対１に対応する数の支持部材と、を有している。したがって、蓋部を開けて切断された導線を容易に取り出すことが可能であり、刃部から切断された導線を取り出す手間や時間をかけずに次の切断作業に迅速に取り掛かることができる。この結果、作業効率の向上を図ることが可能である。
【００３４】
（９）  前記一対の刃部及び前記一対の枢着部の表面は絶縁体で形成されている（１）から（８）いずれか記載のニッパ。
【００３５】
（９）の発明によれば、導線が活電している場合に、作業者が間違って導線に接触したとしても、感電を防止することが可能である。
【発明の効果】
【００３６】
本発明によれば、手間と作業時間をかけずに一定の長さの導線を切断することが可能である。
【発明を実施するための最良の形態】
【００３７】
以下、本発明の実施形態について図面に基づいて説明する。
【００３８】
［第１実施形態］
図１から図１４を用いて第１実施形態に係るニッパ１０について説明する。
【００３９】
＜ニッパ１０の全体構成＞
本発明の第１実施形態に係るニッパ１０の全体構成について図１から図９を参照に説明する。図１は一対の刃部２０が互いに離反している状態のニッパ１０の全体を示す図である。図２は、一対の刃部２０が互いに接近している状態のニッパ１０の全体を示す図である。図３は、図１の反対側から見た一対の刃部２０が互いに離反している状態のニッパ１０の一部分を示す図である。図４は、図２の反対側から見た一対の刃部２０が互いに接近している状態のニッパ１０の一部分を示す図である。図５は、一対の刃部が互いに離反しているニッパ１０を一対の刃部２０の先から見た図である。図６は、一対の刃部２０が互いに接近しているニッパ１０を一対の刃部２０の先から見た図である。図７は、一対の刃部２０が互いに離反している状態のニッパ１０の正面側から見た断面図である。図８は、一対の刃部２０が互いに接近しかけている状態のニッパ１０の正面側から見た断面図である。図９は、ニッパ１０の側面断面図である。
【００４０】
なお、本実施形態以降の説明では、同じ部材の場合は同じ符号を付すとともに、既に説明した部材の説明は省略するものとする。
【００４１】
図１から図９に示すように、１以上の導線を含むケーブルを切断するためのニッパ１０は、一対の刃部２０（一方の刃部２０ａ及び他方の刃部２０ｂ）と、それぞれが各刃部２０に相対的移動不能に連結されている一対の枢着部４０と、枢軸部６０と、延設部８０と、を備えている。更に、ニッパ１０は把持部１００を備える。
【００４２】
一対の刃部２０は、互いに接近・離反可能に対向するように配置されており、また、一対の刃部２０はそれぞれ一対の刃２２を有する。この一対の刃部２０及び枢着部４０は、絶縁体で形成されている。これによって、導線１が活線である場合に、作業者が間違ってニッパ１０を導線１に接触させたとしても、感電を防止することが可能である。なお絶縁体は、公知の絶縁体でもよく、例えば、公知の絶縁体としては、ゴムやビニール等が一例として挙げられる。
【００４３】
一対の刃２２は、対向するように形成されている。各刃２２が互いに接触することにより、導線１が切断される。
【００４４】
枢軸部６０は、各刃部２０が互いに離反することにより一方の刃２２と他方の刃２２との間に導線１を導入することが可能となるように、枢着部４０を回転可能に枢支する。また、枢軸部６０は、一対の刃部２０が互いに接近することにより一対の刃２２が相互に接触して形成される接触線２４において、一対の刃２２によって導線１を切断できるように、枢着部４０を回転可能に枢支する。
【００４５】
延設部８０は、一対の刃部２０のうち一方の刃部２０ａに形成されている。具体的には、延設部８０は刃部２０ａに連結している。延設部８０は、図７及び図８に示すように、導線１の端部が接触する接触部８２を有する。延設部８０は、図９に示すように、接触部８２に直角の方向において接触線２４を接触部８２に投影した投影線が形成可能な位置に設けられている。また、接触部８２と接触線２４との間の距離が所定の関係、すなわち、接触部８２と接触線２４との間の距離が所定の寸法Ｌとなっている。なお、延設部８０は、どのような素材であってもよく、プラスチック、金属が一例として挙げられる。
【００４６】
＜ニッパ１０の切断動作＞
図１から図９までを参照して、ニッパ１０が導線１を切断する動作について説明する。図１、図３、図５、及び、図７に示すように、一対の刃部２０が互いに離反している場合に、刃２２の一方と他方との間に導線１を導入させる。このとき、図７に示すように、導線１の端部を延設部８０の接触部８２に接触させる。また、導線１は延設部８０に対して直角の方向になるようにセットされる。
【００４７】
次に、図２、図４、図６、及び、図８に示すように、使用者が把持部１００を握ると一対の刃部２０が互いに接近するように枢着部４０が回転し、一対の刃２２が相互に接触して接触線２４において導線１を切断する。導線１の切断屑の長さは、接触線２４と接触部８２との間の距離と等しく、距離Ｌとなる。
【００４８】
＜ニッパ１０を用いた導線の切断・接続作業＞
図１０から図１４までを参照して、ニッパ１０を用いて導線１ａ、１ｂ、１ｃ、及び、１ｄのうち導線１ｂ、１ｃ、及び、１ｄの先端をそれぞれ寸法Ｌ、寸法Ｌの２倍の寸法、Ｌの３倍の寸法に切断する作業について説明する。図１０は、直線的に導線１ａ、１ｂ、１ｃ、及び、１ｄが並んでいる図である。図１１は、導線１ｂ〜１ｄの先端を長さＬだけ短くなるように切断した場合の図であり、図１２は、更に導線１ｃ及び１ｄの先端を長さＬだけ短くなるように切断した場合の図であり、図１３は、更に導線１ｄの先端を長さＬだけ短くなるように切断した場合の図である。図１４は、配線端子台８１０に接続されている導線１ａ〜１ｄを示すための図である。
【００４９】
図１０に示す導線１ａ〜１ｄのうち、ニッパ１０を用いることによって、図１１に示すように、導線１ｂ〜１ｄの先端部を簡単に長さＬだけ短くなるように切断することができる。更に、図１１に示す導線１ｂ〜１ｄのうち、ニッパ１０を用いることによって、図１２に示すように、導線１ｃ及び１ｄの先端部を簡単にＬの２倍の長さだけ短くなるように切断することができる。更に、図１２に示す導線１ｃ及び１ｄのうち、ニッパ１０を用いることによって、図１３に示すように、導線１ｄの先端部を簡単にＬの３倍の長さだけ短くなるように切断することができる。よって、作業者は、図１４に示すように、ニッパ１０で接続された導線１ａ〜１ｄを弛むことなく配線端子台８１０の各端子に接続させることができる。
【００５０】
［第２実施形態］
次に、図１５から図１７を参照して、本発明の第２実施形態に係るニッパ１１について説明する。図１５は、ニッパ１１の側面から見た断面図である。図１６は、一対の刃部２０が互いに離反している状態のニッパ１１の一部分を示す図である。図１７は、延設部１１０が形成されているニッパ１１の斜視図である。
【００５１】
＜ニッパ１１の特徴的な構成＞
図１５〜図１７に示すように、ニッパ１１は延設部１１０を備えている。更に、ニッパ１１は、一対の刃部２０の一方にねじ９２で固定された保持棒９０を備えている。
【００５２】
延設部１１０は、基本的に図９に示す延設部８０と同じような構造であるが、以下の点で延設部８０と異なっている。延設部１１０は、延設部８０と同じように一対の刃部２０の一方に形成されている。具体的には、延設部１１０は、保持棒９０に着脱自在に保持されている点で延設部８０と異なる。本実施形態において、延設部１１０は、略長方形であるが、導線の端部が接触する接触部を有するものであれば、どのような形状をなすものであってもよい。延設部１１０は、接触部１１２と、接触部１１２の近傍を通過するように互いに平行して形成される一対の凸状部材１１４と、を含むように形成される溝１１６を有する。また、接触部１１２と接触線２４との間の距離が所定の関係、すなわち、接触部１１２と接触線２４との間の距離が所定の寸法Ｌとなっている。なお、延設部１１０の接触部１１２は延設部８０の接触部８２と同様に導線１の端部が接触する部分である。
【００５３】
＜ニッパ１１の切断動作＞
図１５〜図１７を参照して、ニッパ１１が導線１を切断する動作について説明する。図１６に示すように、一対の刃部２０が互いに離反している場合に、刃２２の一方と他方との間に導線１を導入させ、図１５に示すように、導線１の端部を延設部１１０の接触部１１２に接触させるようにするのは、図９に示すニッパ１０が導線１を切断する動作と同じである。このとき、導線１の端部を図１７に示すように溝１１６に挿入させる点で、ニッパ１０のときと異なる。以下、ニッパ１０が導線１を切断する動作と同じであるため、説明を省略する。
【００５４】
次に、図１７に示すように、一対の刃部２０が互いに接近するように枢着部４０が回転し、一対の刃２２が相互に接触して接触線２４において導線１を切断する。導線１の切断屑の長さは、接触線２４と接触部１１２との間の距離と等しく、距離Ｌとなる。
【００５５】
＜ニッパ１１を用いた導線の切断・接続作業＞
ニッパ１１を用いた導線の切断・接続作業はニッパ１０の場合と同じであるため、その説明を省略する。
【００５６】
［第３実施形態］
次に、図１８を参照して、本発明の第３実施形態に係るニッパ１２について説明する。図１８は、延設部１２０が形成されているニッパ１２の斜視図である。
【００５７】
＜ニッパ１２の特徴的な構成＞
延設部１２０は、基本的に図１５に示すニッパ１１の延設部１１０と同じような構造であるが、以下の点で延設部１１０と異なっている。図１８に示すように、延設部１２０は、接触部１２２を取り囲むように形成された凸状体１２４を有する。この凸状体１２４と接触部１２２とは、凹部１２６を形成している。この凹部１２６は、導線１を挿入することが可能な径を有する。なお、延設部１２０の接触部１２２は延設部１１０の接触部１１２と同じ構造である。また、接触部１２２と接触線２４との間の距離が所定の関係、すなわち、接触部１２２と接触線２４との間の距離が所定の寸法Ｌとなっている。
【００５８】
＜ニッパ１２の切断動作＞
ニッパ１２が導線１を切断する動作について説明する。一対の刃部２０が互いに離反している場合に、刃２２の一方と他方との間に導線１を導入させ、導線１の端部が延設部１２０の接触部１２２に接触するようにするのは、図９に示すニッパ１０のときと同じである。このとき、導線１の端部を延設部１２０の凹部１２６に挿入させる点で、ニッパ１０のときと異なる。以下、ニッパ１０が導線１を切断する動作と同じであるため、説明を省略する。なお、導線１の切断屑の長さは、接触線２４と接触部１２２との間の距離と等しく、距離Ｌとなる。
【００５９】
＜ニッパ１２を用いた導線の切断・接続作業＞
ニッパ１２を用いた導線の切断・接続作業はニッパ１０の場合と同じであるため、その説明を省略する。
【００６０】
［第４実施形態］
図１９から図２１を参照して、本発明の第４実施形態に係るニッパ１３について説明する。図１９は、ニッパ１３の側面から見た断面図である。図２０は、ニッパ１３を一対の刃部２０の先から見た図である。図２１は、一対の刃部２０が互いに離反している状態のニッパ１３の一部分を示す図である。
【００６１】
＜ニッパ１３の特徴的な構成＞
図１９から図２１に示すように、ニッパ１３は、導線支持材の一例である導線支持材３００と、延設部１３０と、を備えている。
【００６２】
延設部１３０は、基本的に図１５に示すニッパ１１の延設部１１０と同じような構造であるが、以下の点で延設部１１０と異なっている。延設部１３０は、開口された開口部１３８と、蓋１３４と、蓋１３４を開閉可能に支持する支持部材の一例であるヒンジ１３６と、を有している。
【００６３】
蓋１３４は開口部１３８を開閉可能に開口部１３８に配置されている。蓋１３４の表面は、接触部１３２とされている。また、接触部１３２と接触線２４との間の距離が所定の関係、すなわち、接触部１３２と接触線２４との間の距離が所定の寸法Ｌとなっている。
【００６４】
導線支持材３００は、導線１を直線的に挿通可能な導線貫通孔３０２が形成されている。導線支持材３００は、接触線２４と延設部１３０との間に配置されている。また、導線支持材の延設部１３０側の末端が、少なくとも導線貫通孔３０２の内部を視認可能な透明材３０４で形成されている。なお、導線支持材３００は、どのような素材でもよく、プラスチック、金属が一例として挙げられる。また、透明材３０４は、少なくとも導線貫通孔の内部を視認可能な素材であればどのような素材であってもよく、アクリル樹脂等の強化プラスチック製、強化ガラス製が一例として挙げられる。
【００６５】
導線貫通孔３０２は、接触線２４の直角の方向に向けて形成されている。
【００６６】
＜ニッパ１３の切断動作＞
ニッパ１３が導線１を切断する動作について説明する。図２１に示すように、一対の刃部２０が互いに離反している場合に、刃２２の一方と他方との間に導線１を導入する。このとき、導線１を導線貫通孔３０２に挿通させる。また、導線１の端部は、延設部１３０の蓋１３４に接触させるようにする。このとき、透明材３０４により、導線１の端部が延設部１３０の蓋１３４に接触しているか否かについて確認できる。導線１が延設部１３０に対して直角の方向になるようにセットされる。そして、一対の刃部２０が互いに接近するように枢着部４０が回転し、一対の刃２２が相互に接触して接触線２４において導線１を切断する。導線１の切断屑の長さは、接触線２４と接触部１３２との間の距離と等しく、距離Ｌとなる。
【００６７】
＜切断屑の回収操作＞
次に、図１９を参照して、ニッパ１３によって切断された導線１の切断屑を回収する動作について説明する。図１９に示すように、導線１の切断後、作業者は、蓋１３４を開けてニッパ１３を上下に振ることにより切断屑を取り出す。
【００６８】
＜ニッパ１３を用いた導線の切断・接続作業＞
ニッパ１３を用いた導線の切断・接続作業はニッパ１０の場合と同じであるため、その説明を省略する。
【００６９】
［第５実施形態］
次に、図２２を参照して、本発明の第５実施形態に係るニッパ１４について説明する。図２２は、ニッパ１４の側面から見た断面図である。
【００７０】
＜ニッパ１４の特徴的な構成＞
図２２に示すように、ニッパ１４は導線支持材３１０を備えている。
【００７１】
導線支持材３１０は、基本的に図１９に示すニッパ１３の導線支持材３００と同じような構造であるが、以下の点で導線支持材３００と異なっている。導線支持材３１０は、その延設部１４０側の末端に、少なくとも導線貫通孔３１２と連通された側面孔３１４を有する。なお、導線支持材３１０の導線貫通孔３１２は導線支持材３００の導線貫通孔３０２と同じ構造である。
【００７２】
＜ニッパ１４の切断動作＞
ニッパ１４の切断動作はニッパ１３の場合と同じであるため、その説明を省略する。
【００７３】
＜切断屑の回収操作＞
切断屑の回収操作はニッパ１３の場合と同じであるため、その説明を省略する。
【００７４】
＜ニッパ１４を用いた導線の切断・接続作業＞
ニッパ１４を用いた導線の切断・接続作業はニッパ１０の場合と同じであるため、その説明を省略する。
【００７５】
［第６実施形態］
次に、図２３及び図２４を参照して、本発明に係る第６実施形態に係るニッパ１５について説明する。図２３はニッパ１５及び配線端子台８１０の側面断面図である。図２４は延設部１５０が形成されているニッパ１５の斜視図である。
【００７６】
＜ニッパ１５の特徴的な構成＞
ニッパ１５は、導線１と少なくとも別の導線の一例である導線２、２を含む導線群３を切断することができる。本実施形態では、導線群３は２本の導線２で構成されている。すなわち、ニッパ１５は、導線と少なくとも１つ以上の別の導線とを含む導線群を切断するためのニッパである。換言すれば、ニッパ１５は、１以上の導線を含むケーブルを切断するためのニッパである。このニッパ１５は、枢軸部６２と、延設部１５０と、を備える。
【００７７】
枢軸部６２は、各刃部２０が互いに離反することにより刃２２の一方と他方との間に導線１と導線２、２とを含む導線群３（導線１と導線２、２とを含むケーブル）を導入することが可能となるように枢着部４０を回転可能に枢支している。同時に、枢軸部６２は、接触線２４にて導線１と導線２、２とを含む導線群３を切断できるように、枢着部４０を回転可能に枢支している。
【００７８】
延設部１５０は、図１５に示すニッパ１１の接触部１１２、一対の凸状部材１１４、及び、溝１１６と構造がそれぞれ同じである接触部１５２と一対の凸状部材１５４と溝１５６とを有する。延設部１５０は、接触部１５２と少なくとも１つの別の接触部の一例である接触部１５２ａ、１５２ａを含む接触領域１５２ｂを含む。すなわち、接触領域１５２ｂは、１以上の第１の接触部の一例である接触部１５２，１５２ａ，１５２ａを含む。接触部１５２ａ，１５２ａには、導線２，２の端部が接触する。接触領域１５２ｂは、接触部１５２と接触線２４に平行して形成されている。投影線が接触部１５２と接触部１５２ａ，１５２ａとを通過する位置に設けられる。
【００７９】
なお、本実施形態において、接触領域１５２ｂは３つの接触部１５２，１５２ａ，１５２ａを含むが、接触領域は２つ以下の接触部を含むようにしてもよく、また、４つ以上の接触部を含むようにしてもよい。以下、実施形態においても同様である。
【００８０】
図２３に示すように、接触線２４と接触部１５２との間の距離は所定の寸法Ｌと等しく、配線端子台８１０の端子８２２と端子８２４との間の距離と一致している。接触線２４と接触領域１５２ｂの一の接触部である右側の接触部１５２ａとの間の距離Ｌ２は、所定の寸法Ｌの２倍の長さと等しく、端子８２２と端子８２６との間の距離と一致している。接触線２４と接触領域１５２ｂの一の接触部である左側の接触部１５２ａとの間の距離Ｌ３は、所定の寸法Ｌの３倍の長さと等しく、端子８２２と端子８２８との間の距離と一致している。
【００８１】
延設部１５０は、接触部１５２ａと、接触部１５２ａの近傍を通過するように互いに平行して形成される別の一対の凸状部材の一例である凸状部材１５４ａと、を含むように形成される別の溝の一例である溝１５６ａを有する。
【００８２】
溝１５６，１５６ａ，１５６ａの数と、接触部１５２，１５２ａ，１５２ａの数とは一致している。すなわち、溝の数は、接触部の数に１対１に対応している。
【００８３】
＜ニッパ１５の切断動作＞
図２３及び図２４を中心にニッパ１５の導線を切断する動作について説明する。一対の刃部２０が互いに離反している場合に、一方の刃２２と他方の刃２２との間に別の導線１又は２を導入させる。このとき、導線１又は２の端部を、溝１５６又は１５６ａに挿入させる。
【００８４】
図２４に示すように、一対の刃部２０が互いに接近するように枢着部４０が回転し、一対の刃２２が相互に接触して接触線２４において導線１又は２を切断する。図２３及び２４に示すように、切断した導線１の切断屑の長さは、接触線２４と接触部１５２との間の距離Ｌと等しく、所定の寸法Ｌである。また、切断した左側の導線２の切断屑の長さは、接触線２４と右側の接触部１５２ａとの間の距離Ｌ２と等しく、所定の寸法Ｌの２倍の長さと等しい。また、切断した右側の導線２の切断屑の長さは、接触線２４と右側の接触部１５２ａとの間の距離Ｌ３と等しく、所定の寸法Ｌの３倍の長さと等しい。
【００８５】
ここで、接触線２４と接触部１５２との間の距離Ｌと接触線２４と右側の接触部１５２ａとの間の距離Ｌ２との差は所定の寸法Ｌである。接触線２４と右側の接触部１５２ａとの間の距離Ｌ２と接触線２４と左側の接触部１５２ａとの間の距離Ｌ３との差は所定の寸法Ｌである。接触線２４と接触部１５２との間の距離Ｌと接触線２４と左側の接触部１５２ａとの間の距離Ｌ３との差は所定の寸法Ｌの２倍の長さと等しい。
【００８６】
このように、接触線２４と一の接触部との間の距離と接触線２４と他の接触部との間の距離との差は所定の寸法Ｌの整数倍の長さとなる（すなわち、所定の関係となる）。換言すれば、配線端子台８１０の端子と他の端子との間の距離に合致する長さの導線をニッパ１５で切断することが可能である。
【００８７】
＜ニッパ１５を用いた導線の切断・接続作業＞
ニッパ１５の切断動作で説明したように、ニッパ１５を用いることにより、何度も切断作業を行わずに、配線端子台８１０の端子と他の端子との間の距離に合致する長さの導線を切断することが可能である。作業者は、切断したそれぞれの導線と切断していない導線の４本の導線を中間配線盤の配線端子台８１０の端子に弛みがないように配線することができる。
【００８８】
具体的には、作業者は、切断されていない導線を端子８２２に、ニッパ１５で切断された導線１を端子８２４に、ニッパ１５で切断された導線２（右側の導線２）を端子８２６に、ニッパ１５で切断された導線２（左側の導線２）を端子８２８に配線することにより、図１４に示す導線１ａ〜１ｄのように、弛みがないように各導線を各端子に配線することができる。
【００８９】
［第７実施形態］
次に、図２５を参照して、本発明の第７実施形態に係るニッパ１６について説明する。図２５は、延設部１６０が形成されているニッパ１６の斜視図である。
【００９０】
＜ニッパ１６の特徴的な構成＞
図２５に示すように、ニッパ１６は延設部１６０を備えている。
【００９１】
延設部１６０は、図１８に示すニッパ１２の凸状体１２４，凹部１２６と構造がそれぞれ同じである凸状体１６４，凹部１６６とを有する。また、延設部１６０は、図２４に示すニッパ１５の延設部１５０の接触部１５２ａ，１５２ａにそれぞれ一致する接触部１６２ａ，１６２ａを有する。
【００９２】
図２５に示すように、接触線２４と接触部１６２との間の距離Ｌは所定の寸法Ｌと等しく、配線端子台８１０（図２３参照）の端子８２２と端子８２４との間の距離と一致している。接触線２４と接触領域１６２ｂの一の接触部である左側の接触部１６２ａとの間の距離Ｌ２は、所定の寸法Ｌの２倍の長さと等しく、配線端子台８１０の端子８２２と端子８２６との間の距離と一致している。接触線２４と接触領域１６２ｂの一の接触部である右側の接触部１６２ａとの間の距離Ｌ３は、所定の寸法Ｌの３倍の長さと等しく、端子８２２と端子８２８との間の距離と一致している。
【００９３】
延設部１６０は図２４に示すニッパ１５の延設部１５０と異なっている。延設部１６０は、別の接触部の一例である接触部１６２ａを取り囲むように形成された別の凸状体の一例である凸状体１６４ａを有する。この接触部１６２ａと凸状体１６４ａとは別の凹部の一例である凹部１６６ａを形成する。凹部１６６ａは、導線２を挿入することが可能な径を有する。
【００９４】
凸状体１６４，１６４ａ，１６４ａの数と、接触部１６２，１６２ａ，１６２ａの数とは一致している。すなわち、凸状体の数は、接触部の数に１対１に対応している。
【００９５】
＜ニッパ１６の切断動作＞
ニッパ１６の導線を切断する動作について説明する。ニッパ１６が導線１又は２を切断する動作は、図２３に示すニッパ１５が導線１を切断する動作と略同じである。例えば、一対の刃部２０が互いに離反している場合に、一方の刃２２と他方の刃２２との間に別の導線１又は２を導入させ、導線１の端部を延設部１６０の接触部１６２に、又は、導線２の端部を延設部１６０の接触部１６２ａに、接触させる点でニッパ１５が導線１を切断する動作と略同じである。一方、このとき、導線１又は２の端部を、延設部１６０の凹部１６６又は１６６ａに挿入させる点で、ニッパ１５のときと導線１又は２を切断する動作が異なる。以下、ニッパ１５が導線１又は２を切断する動作と同じであるため、説明を省略する。
【００９６】
なお、図２５に示すように、切断した導線１の切断屑の長さは、接触線２４と接触部１６２との間の距離Ｌと等しく、また、所定の寸法と等しい。また、切断した左側の導線２の切断屑の長さは、接触線２４と左側の接触部１６２ａとの間の距離Ｌ２と等しく、所定の寸法Ｌの２倍の長さと等しい。また、切断した右側の導線２の切断屑の長さは、接触線２４と右側の接触部１６２ａとの間の距離Ｌ３と等しく、所定の寸法Ｌの３倍の長さと等しい。
【００９７】
ここで、接触線２４と接触部１６２との間の距離Ｌと、接触線２４と左側の接触部１６２ａとの間の距離Ｌ２との差は所定の寸法Ｌと等しい。接触線２４と左側の接触部１６２ａとの間の距離Ｌ２と、接触線２４と右側の接触部１６２ａとの間の距離Ｌ３との差は所定の寸法Ｌと等しい。接触線２４と接触部１６２との間の距離Ｌと、接触線２４と右側の接触部１６２ａとの間の距離Ｌ３との差は所定の寸法Ｌの２倍の長さと等しい。
【００９８】
このように、接触線２４と一の接触部との間の距離と、接触線２４と他の接触部との間の距離との差は所定の寸法Ｌの整数倍の長さとなる（すなわち、所定の関係となる）。換言すれば、配線端子台８１０の端子と他の端子との間の距離に合致する長さの導線をニッパ１６で切断することが可能である。
【００９９】
＜ニッパ１６を用いた導線の切断・配線（接続）作業＞
ニッパ１６の切断動作で説明したように、ニッパ１６を用いることにより、何度も切断作業を行わずに、配線端子台８１０の端子と他の端子との間の距離に合致する長さの導線を切断することが可能である。作業者は、切断したそれぞれの導線と切断していない導線の４本の導線を中間配線盤の配線端子台８１０（図１４、図２３参照）の端子に弛みがないように配線することができる。
【０１００】
具体的には、作業者は、切断されていない導線を端子８２２に、ニッパ１６で切断された導線１を端子８２４に、ニッパ１６で切断された左側の導線２を端子８２６に、ニッパ１６で切断された右側の導線２を端子８２８に配線することにより、図１４に示す導線１ａ〜１ｄのように、弛みがないように各導線を各端子に配線することができる。
【０１０１】
［第８実施形態］
次に、図２６から図２８までを参照して、本発明の第８実施形態に係るニッパ１７について説明する。図２６はニッパ１７及び配線端子台８１０の側面断面図である。図２７は延設部１９０が形成されているニッパ１７の斜視図である。図２８はニッパ１７の一部分を示す図である。
【０１０２】
＜ニッパ１７の特徴的な構成＞
図２６から図２８に示すように、ニッパ１７は、延設部１９０と導線支持材３２０，３２０ａ，３２０ａとを備えている。
【０１０３】
延設部１９０は、図１９に示すニッパ１３の接触部１３２、蓋１３４と、ヒンジ１３６、及び、開口部１３８と構造がそれぞれ同じである接触部１９２と、蓋１９４と、ヒンジ１９６と、開口部１９８と、を有する。導線支持材３２０は、図１９に示すニッパ１３の導線貫通孔３０２と構造が一致する導線貫通孔３２２を有する。導線支持材３２０の延設部１９０側の末端は、図１９に示すニッパ１３の導線支持材３００の透明材３０４と同様に、透明材３２４で形成されている。
【０１０４】
また、延設部１９０は、基本的に図２３に示すニッパ１５の延設部１５０と略同じような構造である。例えば、延設部１９０は、ニッパ１５の接触部１５２と構造が一致する接触部１９２を有する。また、延設部１９０は、ニッパ１５の接触部１５２ａ，１５２ａにそれぞれ一致する接触部１９２ａ，１９２ａを有する。一方、延設部１９０は、延設部１５０が有する凸状部材１５４ａと溝１５６ａとを有さない点で、延設部１５０と異なっている。
【０１０５】
図２６に示すように、接触線２４と接触部１９２との間の距離Ｌは所定の寸法と等しい寸法であり、配線端子台８１０の端子８２２と端子８２４との間の距離と一致している。接触線２４と接触領域１９２ｂの一の接触部である右側の接触部１９２ａとの間の距離Ｌ２は、所定の寸法Ｌの２倍の長さと等しく、端子８２２と端子８２６との間の距離と一致している。接触線２４と接触領域１５２ｂの一の接触部である左側の接触部１９２ａとの間の距離Ｌ３は、所定の寸法Ｌの３倍の長さと等しく、端子８２２と端子８２８との間の距離と一致している。
【０１０６】
導線支持材３２０，３２０ａ，３２０ａの数と、接触部１９２，１９２ａ，１９２ａの数とは一致している。すなわち、導線支持材の数は、接触部の数に１対１に対応している。
【０１０７】
延設部１９０は、開口された別の開口部の一例である開口部１９８ａと、別の蓋の一例である蓋１９４ａと、蓋１９４ａを開閉可能に支持する別の支持部材の一例であるヒンジ１９６ａと、を有している。
【０１０８】
蓋１９４ａは開口部１９８ａを開閉可能に開口部１９８ａに配置されている。蓋１９４ａの表面は接触部１９２ａとされている。
【０１０９】
別の導線支持材の一例である導線支持材３２０ａには、導線２を直線的に挿通可能な別の導線貫通孔の一例である導線貫通孔３２２ａが形成されている。導線支持材３２０ａは、接触線２４と延設部１９０との間に配置されている。導線支持材３２０ａの延設部１９０側の末端は、少なくとも導線貫通孔３２２ａの内部を視認可能な別の透明材の一例である透明材３２４ａで形成されている。
【０１１０】
導線貫通孔３２２ａは、接触線２４の直角の方向に向けて形成されている。
【０１１１】
＜ニッパ１７の切断動作＞
図２６及び図２７を参照して、ニッパ１７の導線を切断する動作について説明する。ニッパ１７が導線１を切断する動作は、図２３に示すニッパ１５が導線１を切断する動作と同じである。また、ニッパ１７が導線２を切断する動作は、ニッパ１５が導線２を切断する動作と略同じである。例えば、一対の刃部２０が互いに離反している場合に、刃２２の一方と他方との間に導線２を導入させる点は、ニッパ１５が導線２を切断する動作と略同じである。一方、このとき、以下の点で、ニッパ１５が導線１を切断する動作と異なる。例えば、導線２を導線貫通孔３２２ａに挿通させる。また、導線２の端部は、延設部１９０の蓋１９４ａに接触させるようにする。このとき、透明材３２４ａにより、導線２の端部が延設部１９０の蓋１９４ａに接触しているか否かについて確認できる。以下、ニッパ１５が導線１又は２を切断する動作と同じであるため、説明を省略する。
【０１１２】
図２６に示すように、切断した導線１の切断屑の長さは、接触線２４と接触部１９２との間の距離Ｌと等しく、所定の寸法Ｌと等しい。また、切断した右側の導線２の切断屑の長さは、接触線２４と右側の接触部１９２ａとの間の距離Ｌ２と等しく、所定の寸法Ｌの２倍の長さと等しい。また、切断した左側の導線２の切断屑の長さは、接触線２４と左側の接触部１９２ａとの間の距離Ｌ３と等しく、所定の寸法Ｌの３倍の長さと等しい。
【０１１３】
ここで、接触線２４と接触部１９２との間の距離Ｌと、接触線２４と右側の接触部１９２ａとの間の距離Ｌ２との差は所定の寸法Ｌである。接触線２４と右側の接触部１９２ａとの間の距離Ｌ２と、接触線２４と左側の接触部１９２ａとの間の距離Ｌ３との差は所定の寸法Ｌである。接触線２４と接触部１９２との間の距離Ｌと、接触線２４と左側の接触部１９２ａとの間の距離Ｌ３との差は所定の寸法Ｌの２倍の長さと等しい。
【０１１４】
このように、接触線２４と一の接触部との間の距離と、接触線２４と他の接触部との間の距離との差は所定の寸法Ｌの整数倍の長さとなる（すなわち、所定の関係となる）。換言すれば、配線端子台８１０の端子と他の端子との間の距離に合致する長さの導線をニッパ１７で切断することが可能である。
【０１１５】
＜切断屑の回収操作＞
次に、図２８を参照して、ニッパ１７によって切断された導線１又は２の切断屑を回収する動作について説明する。図２８に示すように、導線１又は２の先端部の切断後、作業者は、蓋１９４又は１９４ａを開けてニッパ１７を上下に振ることにより切断屑を取り出す。
【０１１６】
＜ニッパ１７を用いた導線の切断・接続作業＞
上述のニッパ１７の切断動作で説明したように、ニッパ１７を用いることにより、何度も切断作業を行わずに、配線端子台８１０の端子と他の端子との間の距離に合致する長さの導線を切断することが可能である。作業者は、切断したそれぞれの導線と切断していない導線の４本の導線を中間配線盤の配線端子台８１０の端子に弛みがないように配線することができる。
【０１１７】
具体的には、作業者は、切断されていない導線を端子８２２に、ニッパ１７で切断された導線１を端子８２４に、ニッパ１７で切断された右側の導線２を端子８２６に、ニッパ１７で切断された左側の導線２を端子８２８に配線することにより、図１４に示す導線１ａ〜１ｄのように、弛みがないように各導線を各端子に配線することができる。
【０１１８】
なお、本実施形態において、導線支持材３２０が透明材３２４，３２４ａ，３２４ａで形成される代わりに、図２９に示すように、その延設部１９０側の末端に、少なくとも導線貫通孔３２２，３２２ａ，３２２ａにそれぞれ連通された側面孔３２６，３２６ａ，３２６ａを有するようにしてもよい。
【０１１９】
［第９実施形態］
次に、図３０から図３２を参照して、本発明の第８実施形態に係るニッパ１８について説明する。図３０は、ニッパ１８及び配線端子台８１０の側面断面図である。図３１は、図３０の延設部１８０を１８０度回転させて設置した場合のニッパ１８及び配線端子台８１０の側面断面図である。図３２は、図３０の延設部１８０を１８０度回転させて設置した場合のニッパ１８の斜視図である。
【０１２０】
＜ニッパ１８の特徴的な構成＞
ニッパ１８は、導線１と導線２，２の導線群３と導線５，５，５とを含む導線群６を切断することができる。すなわち、ニッパ１８は、導線と別の導線と複数の第３の導線とを含む別の導線群（１以上の導線を含むケーブル）を切断するためのニッパである。このニッパ１８は、枢軸部６４と、延設部１８０と、を備える。
【０１２１】
延設部１８０は、接触部１８２及び接触部１８２ａ，１８２ａが形成されている面の反対側の面に第２の接触部の一例である接触部１８２ｃ，１８２ｃ，１８２ｃを有する。延設部１８０は、接触部１８２ｃに導線５の端部が接触するように、且つ、投影線が接触部１８２ｃを通過する位置に形成するように設けられている。
【０１２２】
すなわち、図３０に示す延設部１８０は、導線１の端部が接触する接触部１８２と導線２，２の端部が接触する接触部１８２ａ，１８２ａとを含む接触領域１８２ｂを有し、且つ、投影線が接触部１８２と、接触部１８２ａ，１８２ａと、を通過する位置に形成するように設ける。更に、延設部１８０は、例えば、図３１に示すように、図３０に示す延設部１８０を１８０度回転させて設けられ、接触部１８２ｃが導線５の端部が接触するように、且つ、投影線が接触部１８２ｃを通過する位置に形成するように設ける。
【０１２３】
換言すれば、接触領域１８２ｂは、１以上の第１の接触部の一例である接触部１８２、１８２ａ，１８２ａが形成されている面の反対側の面に形成された１以上の第２の接触部の一例である接触部１８２ｃ，１８２ｃ，１８２ｃを含む。また、延設部１８０は、接触部１８２ｃと１対１に導線５の端部が接触するように、且つ、１以上の投影線が接触部１８２ｃを通過する位置に形成するように設けることが可能である。
【０１２４】
図３０に示すように、接触線２４と接触部１８２との間の距離Ｌは所定の寸法Ｌと等しく、配線端子台８１０の端子８２２と端子８２４との間の距離と一致している。接触線２４と右側の接触部１８２ａとの間の距離Ｌ２は、所定の寸法Ｌの２倍の長さと等しく、端子８２２と端子８２６との間の距離と一致している。接触線２４と左側の接触部１８２ａとの間の距離Ｌ３は、所定の寸法Ｌの３倍の長さと等しく、端子８２２と端子８２８との間の距離と一致している。
【０１２５】
図３１に示すように、接触線２４と右側の接触部１８２ｃとの間の距離Ｍは所定の寸法Ｍと等しく、配線端子台８１０ａの端子８２２ａと端子８２４ａとの間の距離と一致している。接触線２４と中央の接触部１８２ｃとの間の距離Ｍ２は、所定の寸法Ｍの２倍の長さと等しく、端子８２２ａと端子８２６ａとの間の距離と一致している。接触線２４と左側の接触部１８２ｃとの間の距離Ｍ３は、所定の寸法Ｍの３倍の長さと等しく、端子８２２ａと端子８２８ａとの間の距離と一致している。
【０１２６】
枢軸部６４は、各刃部２０が互いに離反することにより刃２２の一方と他方との間に導線１と導線２，２と導線５，５，５とを含む導線群６を導入することが可能となるように枢着部４０を回転可能に枢支している。同時に、枢軸部６４は、接触線２４にて導線１と導線２，２と導線５，５，５とを含む導線群６を切断できるように、枢着部４０を回転可能に枢支している。
【０１２７】
＜ニッパ１８の切断動作＞
ニッパ１８の導線を切断する動作について説明する。ニッパ１８が導線１を切断する動作は、図２４に示すニッパ１５が導線１を切断する動作と同じである。ニッパ１８が導線２を切断する動作は、図２４に示すニッパ１５が導線２を切断する動作と略同じである。ニッパ１８が導線５を切断する動作は、図２４に示すニッパ１５が導線１又は２を切断する動作と略同じである。
【０１２８】
なお、図３０に示すように、切断した導線１の切断屑の長さは、接触線２４と接触部１８２との間の距離と等しく、所定の寸法Ｌと等しい。また、切断した右側の導線２の切断屑の長さは、接触線２４と右側の接触部１８２ａとの間の距離Ｌ２と等しく、所定の寸法Ｌの２倍の長さと等しい。また、切断した左側の導線２の切断屑の長さは、接触線２４と左側の接触部１８２ａとの間の距離Ｌ３と等しく、所定の寸法Ｌの３倍の長さと等しい。
【０１２９】
ここで、接触線２４と接触部１８２との間の距離Ｌと、接触線２４と右側の接触部１８２ａとの間の距離Ｌ２との差は所定の寸法Ｌである。接触線２４と右側の接触部１８２ａとの間の距離Ｌ２と、接触線２４と左側の接触部１８２ａとの間の距離Ｌ３との差は所定の寸法Ｌである。接触線２４と接触部１８２との間の距離Ｌと、接触線２４と左側の接触部１８２ａとの間の距離Ｌ３との差は所定の寸法Ｌの２倍の長さと等しい。
【０１３０】
このように、接触線２４と一の接触部との間の距離と、接触線２４と他の接触部との間の距離との差は所定の寸法Ｌの整数倍の長さとなる（すなわち、所定の関係となる）。換言すれば、配線端子台８１０の端子と他の端子との間の距離に合致する長さの導線をニッパ１８で切断することが可能である。
【０１３１】
一方、図３１に示すように、切断した右側の導線５の切断屑の長さは、接触線２４と右側の接触部１８２ｃとの間の距離Ｍと等しく、所定の寸法Ｍと等しい。また、切断した中央の導線５の切断屑の長さは、接触線２４と中央の接触部１８２ｃとの間の距離と等しく、所定の寸法Ｍの２倍の長さと等しい。また、切断した左側の導線５の切断屑の長さは、接触線２４と左側の接触部１８２ｃとの間の距離Ｍ３と等しく、所定の寸法Ｍの３倍の長さと等しい。
【０１３２】
ここで、接触線２４と右側の接触部１８２ｃとの間の距離Ｍと、接触線２４と中央の接触部１８２ｃとの間の距離Ｍ２との差は所定の寸法Ｍである。接触線２４と中央の接触部１８２ｃとの間の距離Ｍ２と、接触線２４と左側の接触部１８２ｃとの間の距離Ｍ３との差は所定の寸法Ｍである。接触線２４と接触部１８２ｃとの間の距離Ｍと、接触線２４と左側の接触部１８２ｃとの間の距離Ｍ３との差は所定の寸法Ｍの２倍の長さと等しい。
【０１３３】
このように、接触線２４と一の接触部１８２ｃとの間の距離と、接触線２４と他の接触部１８２ｃとの間の距離との差は所定の寸法Ｍの整数倍の長さとなる（すなわち、所定の関係となる）。換言すれば、配線端子台８１０ａの端子と他の端子との間の距離に合致する長さの導線をニッパ１８で切断することが可能である。
【０１３４】
＜ニッパ１８を用いた導線の切断・接続作業＞
ニッパ１８の切断動作で説明したように、ニッパ１８を用いることにより、何度も切断作業を行わずに、配線端子台８１０の端子と他の端子との間の距離、又は、配線端子台８１０ａの端子と他の端子との間の距離、に合致する長さの導線を切断することが可能である。作業者は、切断したそれぞれの導線と切断していない導線を中間配線盤の配線端子台８１０の端子又は配線端子台８１０ａの端子に弛みがないように配線することができる。
【０１３５】
具体的には、作業者は、切断されていない導線を端子８２２に、ニッパ１８で切断された導線１を端子８２４に、ニッパ１８で切断された右側の導線２を端子８２６に、ニッパ１８で切断された左側の導線２を端子８２８に配線することにより、図１４に示す導線１ａ〜１ｄのように、弛みがないように各導線を各端子に配線することができる。
【０１３６】
また、作業者は、切断されていない導線を端子８２２ａに、ニッパ１８で切断された右側の導線５を端子８２４ａに、ニッパ１８で切断された中央の導線５を端子８２６ａに、ニッパ１８で切断された左側の導線２を端子８２８ａに配線することにより、図１４に示す導線１ａ〜１ｄのように、弛みがないように各導線を各端子に配線することができる。
【０１３７】
なお、延設部１８０は、図２４に示すニッパ１５の溝１５６、１５６ａのように、延設部１８０の接触部１８２ｃと、接触部１８２ｃの近傍を通過するように互いに平行して形成される一対の凸状部材と、を含むように形成される溝を有するようにしてもよい。
【０１３８】
また、延設部１８０は、図２５に示す凹部１６６、１６６ａのように、接触部１８２ｃを取り囲むように形成された凸状体を有し、接触部１８２ｃと凸状体とは凹部を形成し、この凹部は、導線５を挿入することが可能な径を有するようにしてもよい。
【０１３９】
［第１０実施形態］
次に、図３３及び図３４を参照して、本発明の第１０実施形態に係るニッパ２１について説明する。図３３は、ニッパ２１及び配線端子台８１０の側面断面図である。図３４は、図３３の延設部２２０を１８０度回転させて設置した場合のニッパ２１及び配線端子台８１０ａの側面断面図である。
【０１４０】
＜ニッパ２１の特徴的な構成＞
図３３に示す延設部２２０は、図２６に示すニッパ１７の延設部１９０の構造が一部形成されている。例えば、図３３に示す接触部２２２，２２２ａ，２２２ａを含む接触領域２２２ｂは、それぞれ図２６に示す接触部１９２，１９２ａ，１９２ａを含む接触領域１９２ｂと構造が同じである。
【０１４１】
また、図３３に示す導線支持材３４０は、図２６に示すニッパ１７の導線支持材３２０の構造が一部形成されている。例えば、図３３に示す導線貫通孔３４２が形成されている導線支持材３４０は、図２６に示す導線貫通孔３２２が形成されている導線支持材３２０と構造が同じである。導線貫通孔３４２ａ，３４２ａが形成されている導線支持材３４０ａ，３４０ａは、図２６に示す導線貫通孔３２２ａ，３２２ａが形成されている導線支持材３２０ａ，３２０ａと構造が同じである。導線支持材３４０の延設部２２０側の末端に形成される透明材３４４は、図２６に示す導線支持材３２０の延設部１９０側の末端に形成される透明材３２４と構造が同じである。透明材３４４ａ，３４４ａは、図２６に示す透明材３２４ａ，３２４ａと一致する。
【０１４２】
一方、延設部２２０は、接触部２２２及び接触部２２２ａ，２２２ａが形成されている面の反対側の面に第２の接触部の一例である接触部２２２ｃ，２２２ｃ，２２２ｃを有する。延設部２２０は、接触部２２２ｃが導線５の端部が接触するように、且つ、投影線が接触部２２２ｃを通過する位置に形成するように設けられている。
【０１４３】
すなわち、図３３に示す延設部２２０は、導線１の端部が接触する接触部２２２と導線２，２の端部が接触する接触部２２２ａ，２２２ａとを含む接触領域２２２ｂを有し、且つ、投影線が接触部２２２と、接触部２２２ａ，２２２ａと、を通過する位置に形成するように設ける。更に、延設部２２０は、例えば、図３４に示すように、図３３に示す延設部２２０を１８０度回転させて設けられ、接触部２２２ｃが導線５の端部が接触するように、且つ、投影線が接触部２２２ｃを通過する位置に形成するように設ける。
【０１４４】
換言すれば、接触領域２２２ｂは、１以上の第１の接触部の一例である接触部２２２、２２２ａ，２２２ａが形成されている面の反対側の面に形成された１以上の第２の接触部の一例である接触部２２２ｃ，２２２ｃ，２２２ｃを含む。また、図３４に示す延設部２２０は、接触部２２２ｃと１対１に導線５の端部が接触するように、且つ、１以上の投影線が接触部２２２ｃを通過する位置に形成するように設けることが可能である。
【０１４５】
図３３に示すように、接触線２４と接触部２２２との間の距離は所定の寸法Ｌと等しく、配線端子台８１０の端子８２２と端子８２４との間の距離と一致している。接触線２４と右側の接触部２２２ａとの間の距離Ｌ２は、所定の寸法Ｌの２倍の長さと等しく、端子８２２と端子８２６との間の距離と一致している。接触線２４と左側の接触部２２２ａとの間の距離Ｌ３は、所定の寸法Ｌの３倍の長さと等しく、端子８２２と端子８２８との間の距離と一致している。
【０１４６】
図３４に示すように、接触線２４と右側の接触部２２２ｃとの間の距離Ｍは所定の寸法Ｍと等しく、配線端子台８１０ａの端子８２２ａと端子８２４ａとの間の距離と一致している。接触線２４と中央の接触部２２２ｃとの間の距離Ｍ２は、所定の寸法Ｍの２倍の長さと等しく、端子８２２ａと端子８２６ａとの間の距離と一致している。接触線２４と左側の接触部２２２ｃとの間の距離Ｍ３は、所定の寸法Ｍの３倍の長さと等しく、端子８２２ａと端子８２８ａとの間の距離と一致している。
【０１４７】
また、延設部２２０は、導線５を直線的に挿通可能な第３の導線貫通孔の一例である導線貫通孔３４２ｃが形成され、接触線２４と延設部２２０との間に配置されている第３の導線支持材の一例である導線支持材３４０ｃを備えている。導線貫通孔３４２ｃは、接触線２４と延設部２２０との間に配置されている。導線貫通孔３４２ｃは、接触線２４の直角の方向に向けて形成されている。導線支持材３４０の延設部２２０側の末端は、少なくとも導線貫通孔３４２ｃの内部を視認可能な別の透明材の一例である透明材で形成されている。
【０１４８】
＜ニッパ２１の切断動作＞
図３３及び図３４を参照してニッパ２１が導線１、２、又は、５を切断する動作について説明する。ニッパ２１が導線１を切断する動作は、図２６に示すニッパ１７が導線１を切断する動作と同じである。ニッパ２１が導線２を切断する動作は、ニッパ１７が導線１，２を切断する動作と略同じである。ニッパ２１が導線５を切断する動作は、ニッパ１７が導線１又は２を切断する動作と略同じである。
【０１４９】
なお、図３３に示すように、切断した導線１の切断屑の長さは、接触線２４と接触部２２２との間の距離と等しく、所定の寸法Ｌと等しい。また、切断した右側の導線２の切断屑の長さは、接触線２４と右側の接触部２２２ａとの間の距離Ｌ２と等しく、所定の寸法Ｌの２倍の長さと等しい。また、切断した左側の導線２の切断屑の長さは、接触線２４と左側の接触部２２２ａと等しく、所定の寸法Ｌの３倍の長さと等しい。
【０１５０】
ここで、接触線２４と接触部２２２との間の距離Ｌと、接触線２４と右側の接触部２２２ａとの間の距離Ｌ２との差は所定の寸法Ｌと等しい。接触線２４と右側の接触部２２２ａとの間の距離Ｌ２と、接触線２４と左側の接触部２２２ａとの間の距離Ｌ３との差は所定の寸法Ｌと等しい。接触線２４と接触部２２２との間の距離Ｌと、接触線２４と左側の接触部２２２ａとの間の距離Ｌ３との差は所定の寸法Ｌの２倍の長さと等しい。
【０１５１】
このように、接触線２４と一の接触部との間の距離と、接触線２４と他の接触部との間の距離との差は所定の寸法Ｌの整数倍の長さとなる（すなわち、所定の関係となる）。換言すれば、配線端子台８１０の端子と他の端子との間の距離に合致する長さの導線をニッパ２１で切断することが可能である。
【０１５２】
図３４に示すように、切断した右側の導線５の切断屑の長さは、接触線２４と右側の接触部２２２ｃとの間の距離Ｍと等しく、所定の寸法Ｍと等しい。また、切断した中央の導線５の切断屑の長さは、接触線２４と中央の接触部２２２ｃとの間の距離Ｍ２と等しく、所定の寸法Ｍの２倍の長さと等しい。また、切断した左側の導線５の切断屑の長さは、接触線２４と左側の接触部２２２ｃとの間の距離Ｍ３と等しく、所定の寸法Ｍの３倍の長さと等しい。
【０１５３】
ここで、接触線２４と右側の接触部２２２ｃとの間の距離Ｍと、接触線２４と中央の接触部２２２ｃとの間の距離Ｍ２との差は所定の寸法Ｍである。接触線２４と中央の接触部２２２ｃとの間の距離Ｍ２と、接触線２４と左側の接触部２２２ｃとの間の距離Ｍ３との差は所定の寸法Ｍである。接触線２４と右側の接触部２２２ｃとの間の距離Ｍと、接触線２４と左側の接触部２２２ｃとの間の距離Ｍ３との差は所定の寸法Ｍの２倍の長さと等しい。
【０１５４】
このように、接触線２４と一の接触部２２２ｃとの間の距離と、接触線２４と他の接触部２２２ｃとの間の距離との差は所定の寸法Ｍの整数倍の長さとなる（すなわち、所定の関係となる）。換言すれば、配線端子台８１０ａの端子と他の端子との間の距離に合致する長さの導線をニッパ１８で切断することが可能である。
【０１５５】
＜ニッパ２１を用いた導線の切断・接続作業＞
ニッパ２１の切断動作で説明したように、ニッパ２１を用いることにより、何度も切断作業を行わずに、配線端子台８１０の端子と他の端子との間の距離、又は、配線端子台８１０ａの端子と他の端子との間の距離、に合致する長さの導線を切断することが可能である。作業者は、切断したそれぞれの導線と切断していない導線を中間配線盤の配線端子台８１０の端子又は配線端子台８１０ａの端子に弛みがないように配線することができる。
【０１５６】
具体的には、作業者は、切断されていない導線を端子８２２に、ニッパ２１で切断された導線１を端子８２４に、ニッパ２１で切断された右側の導線２を端子８２６に、ニッパ２１で切断された左側の導線２を端子８２８に配線することにより、図１４に示す導線１ａ〜１ｄのように、弛みがないように各導線を各端子に配線することができる。
【０１５７】
また、作業者は、切断されていない導線を端子８２２ａに、ニッパ２１で切断された右側の導線５を端子８２４ａに、ニッパ２１で切断された中央の導線５を端子８２６ａに、ニッパ２１で切断された左側の導線５を端子８２８ａに配線することにより、図１４に示す導線１ａ〜１ｄのように、弛みがないように各導線を各端子に配線することができる。
【０１５８】
なお、本実施形態において、導線支持材３４０が透明材３４４，３４４ａ，３４４ａ，３４４ｃ，３４４ｃ，３４４ｃで形成される代わりに、その延設部２２０側の末端に、少なくとも導線貫通孔３４２，３４２ａ，３４２ａ，３４２ｃ，３４２ｃ，３４２ｃにそれぞれ連通された側面孔を有するようにしてもよい。
【図面の簡単な説明】
【０１５９】
【図１】本発明の第１実施形態に係るニッパ１０の全体を示す図である。
【図２】ニッパ１０の全体を示す図である。
【図３】ニッパ１０の一部分を示す図である。
【図４】ニッパ１０の一部分を示す図である。
【図５】ニッパ１０を一対の刃部２０の先から見た図である。
【図６】ニッパ１０を一対の刃部２０の先から見た図である。
【図７】ニッパ１０の正面側から見た断面図である。
【図８】ニッパ１０の正面側から見た断面図である。
【図９】ニッパ１０の側面断面図である。
【図１０】直線的に導線１ａ、１ｂ、１ｃ、及び、１ｄが並んでいる図である。
【図１１】導線１ｂ〜１ｄの先端を長さＬだけ短くなるように切断した場合の図である。
【図１２】更に導線１ｃ及び１ｄの先端を長さＬだけ短くなるように切断した場合の図である。
【図１３】更に導線１ｄの先端を長さＬだけ短くなるように切断した場合の図である。
【図１４】配線端子台８１０を示す図である。
【図１５】本発明の第２実施形態に係るニッパ１１の側面断面図である。
【図１６】ニッパ１１の一部分を示す図である。
【図１７】ニッパ１１の斜視図である。
【図１８】本発明の第３実施形態に係るニッパ１２の斜視図である。
【図１９】本発明の第４実施形態に係るニッパ１３の側面断面図である。
【図２０】ニッパ１３を一対の刃部２０の先から見た図である。
【図２１】ニッパ１３の一部分を示す図である。
【図２２】本発明の第５実施形態に係るニッパ１４の側面断面図である。
【図２３】本発明の第６実施形態に係るニッパ１５の側面断面図である。
【図２４】ニッパ１５の斜視図である。
【図２５】本発明の第７実施形態に係るニッパ１６の斜視図である。
【図２６】本発明の第８実施形態に係るニッパ１７の側面断面図である。
【図２７】ニッパ１７の斜視図である。
【図２８】ニッパ１７の一部分を示す図である。
【図２９】ニッパ１７の変形例の側面断面図である。
【図３０】本発明の第９実施形態に係るニッパ１８の側面断面図である。
【図３１】ニッパ１８の側面断面図である。
【図３２】ニッパ１８の斜視図である。
【図３３】本発明の第１０実施形態に係るニッパ２１の側面断面図である。
【図３４】ニッパ２１の側面断面図である。
【図３５】電話機と伝送装置と中間配線盤（接続ＢＯＸ）とを示すブロック図である。
【図３６】配線端子台８１０を示す図である。
【符号の説明】
【０１６０】
１，１ａ，１ｂ，１ｃ，１ｄ，２，５  導線
３  導線群
６  導線群
１０〜１８、２１  ニッパ
２０，２０ａ，２０ｂ  一対の刃部
２２  一対の刃
２４  接触線
４０  枢着部
６０，６２，６４  枢軸部
９０  保持棒
１００  把持部
８０，１１０，１２０，１３０，１４０，１５０，１６０，１８０，１９０，２２０  延設部
８２，１１２，１２２，１３２，１５２，１５２ａ，１６２，１６２ａ，１８２，１８２ａ，１８２ｃ，１９２，１９２ａ，２２２，２２２ａ，２２２ｃ  接触部
１１４，１５４，１５４ａ  凸状部材
１１６，１５６，１５６ａ  溝
１２４，１６４，１６４ａ  凸状体
１２６，１６６，１６６ａ  凹部
１３４，１９４，１９４ａ  蓋
１３６，１９６，１９６ａ  ヒンジ
１３８，１９８，１９８ａ  開口部
１５２ｂ，１６２ｂ，１８２ｂ，１９２ｂ，２２２ｂ  接触領域
３００，３１０，３２０，３２０ａ，３４０，３４０ａ，３４０ｃ  導線支持材
３０２，３１２，３２２，３２２ａ，３４２，３４２ａ，３４２ｃ  導線貫通孔
３０４，３２４，３２４ａ，３４４，３４４ａ，３４４ｃ  透明材
３１４，３２６，３２６ａ  側面孔
８１０，８１０ａ  配線端子台
【図１】
2008012155.tif 000003
【図２】
2008012155.tif 000004
【図３】
2008012155.tif 000005
【図４】
2008012155.tif 000006
【図５】
2008012155.tif 000007
【図６】
2008012155.tif 000008
【図７】
2008012155.tif 000009
【図８】
2008012155.tif 000010
【図９】
2008012155.tif 000011
【図１０】
2008012155.tif 000012
【図１１】
2008012155.tif 000013
【図１２】
2008012155.tif 000014
【図１３】
2008012155.tif 000015
【図１４】
2008012155.tif 000016
【図１５】
2008012155.tif 000017
【図１６】
2008012155.tif 000018
【図１７】
2008012155.tif 000019
【図１８】
2008012155.tif 000020
【図１９】
2008012155.tif 000021
【図２０】
2008012155.tif 000022
【図２１】
2008012155.tif 000023
【図２２】
2008012155.tif 000024
【図２３】
2008012155.tif 000025
【図２４】
2008012155.tif 000026
【図２５】
2008012155.tif 000027
【図２６】
2008012155.tif 000028
【図２７】
2008012155.tif 000029
【図２８】
2008012155.tif 000030
【図２９】
2008012155.tif 000031
【図３０】
2008012155.tif 000032
【図３１】
2008012155.tif 000033
【図３２】
2008012155.tif 000034
【図３３】
2008012155.tif 000035
【図３４】
2008012155.tif 000036
【図３５】
2008012155.tif 000037
【図３６】
2008012155.tif 000038